(57)【要約】【課題】    入出庫の管理コストを低減することができる物品管理システム、記憶部材、読み出し装置及び保管庫を提供する。【解決手段】    物品管理システム１は、保管庫１０における物品群６０の入出庫を管理する。物品管理システム１は、記憶部材２０と読み出し装置３０とを備える。記憶部材２０は、物品群６０のそれぞれに対して付され、識別データ７１と賞味期限７３又は入庫時刻７４とを記憶している。識別データ７１は、物品群６０のそれぞれを他の物品６０ａ，６０ｂ，６０ｃ，・・・から識別するデータである。賞味期限７３又は入庫時刻７４は、物品群６０のそれぞれに関する時間的な情報である。読み出し装置３０は、識別データ７１と賞味期限７３又は入庫時刻７４とを記憶部材２０から読み出す。【選択図】      図１
2005060085.tif 000002
【特許請求の範囲】
【請求項１】
保管庫（１０）における複数の物品（６０）の入出庫を管理する物品管理システム（１，１０１，２０１，３０１）であって、
前記複数の物品（６０）のそれぞれに対して付され、前記複数の物品（６０）のそれぞれを他の物品（６０ａ，６０ｂ，６０ｃ，・・・）から識別するデータである識別データ（７１）と前記複数の物品（６０）のそれぞれに関する時間的な情報である時間情報（７３，７４）とを記憶している記憶部材（２０，１２０）と、
前記識別データ（７１）と前記時間情報（７３，７４）とを前記記憶部材（２０，１２０）から読み出す読み出し装置（３０，１３０，２３０）と、
を備えた物品管理システム（１，１０１，２０１，３０１）。
【請求項２】
前記読み出し装置（３０，１３０，２３０）が読み出した前記識別データ（７１）及び前記時間情報（７３，７４）の少なくとも一方に基づいて検索を行う検索装置（４０，１４０，３４０）をさらに備えた、
請求項１に記載の物品管理システム（１，１０１，２０１，３０１）。
【請求項３】
前記記憶部材（２０，１２０）は、前記複数の物品（６０）のそれぞれに対する種類を示す種類識別データ（７２）をさらに記憶しており、
前記検索装置（４０，１４０，３４０）は、前記識別データ（７１）及び前記時間情報（７３，７４）及び前記種類識別データ（７２）の少なくとも１つに基づいて検索を行う、
請求項２に記載の物品管理システム（１，１０１，２０１，３０１）。
【請求項４】
前記検索装置（４０，１４０，３４０）は、前記時間情報（７３，７４）が古い１以上の物品（６０ａ，６０ｂ，６０ｃ，・・・）について検索を行う、
請求項２又は３のいずれかに記載の物品管理システム（１，１０１，２０１，３０１）。
【請求項５】
前記時間情報（７３，７４）は、前記複数の物品（６０）のそれぞれに関する期限を含み、
前記検索装置（４０，１４０，３４０）は、前記複数の物品（６０）のそれぞれに関する前記期限が近い１以上の物品（６０ａ，６０ｂ，６０ｃ，・・・）について検索を行う、
請求項２又は３のいずれかに記載の物品管理システム（１，１０１，２０１，３０１）。
【請求項６】
前記時間情報（７３，７４）は、前記複数の物品（６０）のそれぞれに関する期限を含み、
前記検索装置（４０，１４０，３４０）は、前記複数の物品（６０）のそれぞれに関する前記期限が経過した１以上の物品（６０ａ，６０ｂ，６０ｃ，・・・）について検索を行う、
請求項２又は３のいずれかに記載の物品管理システム（１，１０１，２０１，３０１）。
【請求項７】
前記検索装置（４０，１４０，３４０）が検索した結果に基づいて報知を行う報知装置（５０，１５０，２５０，３５０）をさらに備えた、
請求項２から６のいずれかに記載の物品管理システム（１，１０１，２０１，３０１）。
【請求項８】
前記検索装置（４０，１４０，３４０）は、前記保管庫（１０）内における前記物品（６０ａ，６０ｂ，６０ｃ，・・・）の数を検索し、
前記報知装置（５０，１５０，２５０，３５０）は、前記検索装置（４０，１４０，３４０）が検索した結果に基づき、前記保管庫（１０）内における前記物品（６０ａ，６０ｂ，６０ｃ，・・・）の数が一定数以下になったら報知を行う、
請求項７に記載の物品管理システム（１，１０１，２０１，３０１）。
【請求項９】
前記報知装置（５０，１５０，２５０，３５０）は、前記記憶部材（２０，１２０）の近くに設けられている、
請求項７に記載の物品管理システム（１，１０１，２０１，３０１）。
【請求項１０】
前記報知装置（５０，１５０，２５０，３５０）は、前記読み出し装置（３０，１３０，２３０）の近くに設けられている、
請求項７に記載の物品管理システム（１，１０１，２０１，３０１）。
【請求項１１】
前記報知装置（５０，１５０，２５０，３５０）は、前記保管庫（１０）における保管場所（１１）の近くに設けられ、
前記検索装置（４０，１４０，３４０）は、前記物品（６０ａ，６０ｂ，６０ｃ，・・・）の前記保管場所（１１）を検索する、
請求項７に記載の物品管理システム（１，１０１，２０１，３０１）。
【請求項１２】
前記記憶部材（２０，１２０）は、無線タグである、
請求項１から１１のいずれかに記載の物品管理システム（１，１０１，２０１，３０１）。
【請求項１３】
前記記憶部材（２０，１２０）は、バーコードである、
請求項１から１１のいずれかに記載の物品管理システム（１，１０１，２０１，３０１）。
【請求項１４】
前記保管庫（１０）における管理空間（１５）を調和する空気調和機（１４）をさらに備えた、
請求項１から１３のいずれかに記載の物品管理システム（１，１０１，２０１，３０１）。
【請求項１５】
保管庫（１０）における複数の物品（６０）の入出庫が管理される物品管理方法であって、
前記複数の物品（６０）のそれぞれを他の物品（６０ａ，６０ｂ，６０ｃ，・・・）から識別するデータである識別データ（７１）と前記複数の物品（６０）のそれぞれに関する時間的な情報である時間情報（７３，７４）とが、前記複数の物品（６０）のそれぞれに付される部材である記憶部材（２０，１２０）に記憶される第１ステップと、
前記第１ステップで記憶された前記識別データ（７１）と前記時間情報（７３，７４）とが前記記憶部材（２０，１２０）から読み出される第２ステップと、
を備えた物品管理方法。
【請求項１６】
保管庫（１０）において入出庫の管理がなされる複数の物品（６０）のそれぞれに付される記憶部材（２０，１２０）であって、
前記複数の物品（６０）のそれぞれを他の物品（６０ａ，６０ｂ，６０ｃ，・・・）から識別するデータである識別データ（７１）と、前記複数の物品（６０）のそれぞれに関する時間的な情報である時間情報（７３，７４）とを、記憶している記憶部（２１）と、
前記記憶部に記憶されている情報を送受信する送受信部（２２）と、
を備えた記憶部材（２０，１２０）。
【請求項１７】
保管庫（１０）において入出庫の管理がなされる複数の物品（６０）のそれぞれに付され、前記複数の物品（６０）のそれぞれを他の物品（６０ａ，６０ｂ，６０ｃ，・・・）から識別するデータである識別データ（７１）と前記複数の物品（６０）のそれぞれに関する時間的な情報である時間情報（７３，７４）とを記憶している記憶部材（２０，１２０）から、前記識別データ（７１）と前記時間情報（７３，７４）とを読み出す、
読み出し装置（３０，１３０，２３０）。
【請求項１８】
複数の物品（６０）の入出庫を管理するための保管庫（１０）であって、
前記複数の物品（６０）を保管する管理空間（１５）と、
前記複数の物品（６０）のそれぞれに対して付され、前記複数の物品（６０）のそれぞれを他の物品（６０ａ，６０ｂ，６０ｃ，・・・）から識別するデータである識別データ（７１）と、前記複数の物品（６０）のそれぞれに関する時間的な情報である時間情報（７３，７４）とを、記憶している記憶部材（２０，１２０）と、
前記識別データ（７１）と前記時間情報（７３，７４）とを前記記憶部材（２０，１２０）から読み出す読み出し装置（３０，１３０，２３０）と、
を備えた保管庫（１０）。
【発明の詳細な説明】
【技術分野】
【０００１】
本発明は、物品管理システム、記憶部材、読み出し装置及び保管庫に関する。
【背景技術】
【０００２】
従来から、保管庫における物品の入出庫の管理は、人手により行われており、煩雑である。その煩雑さを回避するため、物品を他の物品から識別するデータである識別データを記憶している記憶部材（例えば、情報タグ、商品タグ）を物品に付して物品の入出庫を管理するシステムが提案されている（例えば、特許文献１，２参照。）。
【特許文献１】特開２００１―２４３３６４  （第１−５頁、第１−８図）
【特許文献２】特開２００１―３１７８５９  （第１−４頁、第１−１３図）
【発明の開示】
【発明が解決しようとする課題】
【０００３】
しかし、従来のシステムでは、物品に関する時間的な情報である時間情報を管理するために、管理装置が記憶部材と別に必要である。そのため、管理すべき物品の数が増えると、管理装置における管理が煩雑になり入出庫の管理コストが増大する傾向がある。また、管理装置に大容量の記憶装置が必要になり、ハード面で入出庫の管理コストが増大する傾向がある。
【０００４】
そこで、本発明の課題は、入出庫の管理コストを低減することができる物品管理システム、記憶部材、読み出し装置及び保管庫を提供することにある。
【課題を解決するための手段】
【０００５】
請求項１に係る物品管理システムは、保管庫における複数の物品の入出庫を管理する物品管理システムであって、記憶部材と、読み出し装置とを備える。記憶部材は、複数の物品のそれぞれに対して付され、識別データと時間情報とを記憶している。識別データは、複数の物品のそれぞれを他の物品から識別するデータである。時間情報は、複数の物品のそれぞれに関する時間的な情報である。読み出し装置は、識別データと時間情報とを記憶部材から読み出す。
【０００６】
この物品管理システムでは、記憶部材は、識別データと時間情報とを記憶している。記憶部材は、複数の物品のそれぞれに対して付されている。読み出し装置は、識別データと時間情報とを受け取りたい旨の要求を記憶部材に渡すことができる。読み出し装置は、識別データと時間情報とを記憶部材から読み出す。
【０００７】
したがって、時間情報に関する検索を容易にすることができる。このため、入出庫の管理コストを低減することができる。
【０００８】
なお、記憶部材と読み出し装置との間のデータの受け渡しは、例えば、有線回線を介したもの、無線回線を介したもの、内部配線を介したものなどを含む。
【０００９】
請求項２に係る物品管理システムは、請求項２に記載の物品管理システムであって、検索装置をさらに備える。検索装置は、読み出し装置が読み出した識別データ及び時間情報の少なくとも一方に基づいて検索を行う。
【００１０】
この物品管理システムでは、読み出し装置は、識別データと時間情報とを記憶部材から読み出す。検索装置は、識別データと時間情報とを読み出し装置から受け取ることができる。検索装置は、読み出し装置が読み出した識別データ及び時間情報の少なくとも一方に基づいて検索を行う。
【００１１】
したがって、時間情報に関する検索を容易にすることができる。このため、入出庫の管理コストを低減することができる。
【００１２】
請求項３に係る物品管理システムは、請求項１又は２に記載の物品管理システムであって、記憶部材は、種類識別データをさらに記憶している。種類識別データは、複数の物品のそれぞれに対する種類を示す。検索装置は、識別データ及び時間情報及び種類識別データの少なくとも１つに基づいて検索を行う。
【００１３】
この物品管理システムでは、記憶部材は、複数の物品のそれぞれに対して付されている。記憶部材は、識別データと時間情報と種類識別データとを記憶している。読み出し装置は、識別データと時間情報と種類識別データとを受け取りたい旨の要求を記憶部材に渡すことができる。読み出し装置は、識別データと時間情報と種類識別データとを記憶部材から読み出す。検索装置は、識別データと時間情報と種類識別データとを読み出し装置から受け取ることができる。検索装置は、識別データ及び時間情報及び種類識別データの少なくとも１つに基づいて検索を行う。
【００１４】
したがって、特定の物品の種類に検索対象を絞り込むことができるので、時間情報に関する検索がさらに容易になる。このため、入出庫の管理コストをさらに低減することができる。
【００１５】
請求項４に係る物品管理システムは、請求項２又は３のいずれかに記載の物品管理システムであって、検索装置は、時間情報が古い１以上の物品について検索を行う。
【００１６】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、時間情報が古い１以上の物品について検索を行う。これにより、検索装置は、出庫しようとしている物品よりも時間情報が古い１以上の物品が保管庫内にあるか否かを特定することができる。あるいは、検索装置は、時間情報が古い１以上の物品の識別データを特定することができる。
【００１７】
したがって、時間情報が古い物品から入出庫することができる。このため、保管庫に古い物品が滞留することを低減することができる。
【００１８】
請求項５に係る物品管理システムは、請求項２又は３のいずれかに記載の物品管理システムであって、時間情報は、複数の物品のそれぞれに関する期限を含む。検索装置は、複数の物品のそれぞれに関する期限が近い１以上の物品について検索を行う。
【００１９】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、複数の物品のそれぞれに関する期限が近い１以上の物品について検索を行う。これにより、検索装置は、複数の物品のそれぞれに関する期限が近い１以上の物品の識別データを特定することができる。
【００２０】
したがって、複数の物品のそれぞれに関する期限が近い１以上の物品から入出庫することができる。このため、保管庫における物品の廃棄ロスを低減することができる。
【００２１】
請求項６に係る物品管理システムは、請求項２又は３のいずれかに記載の物品管理システムであって、時間情報は、複数の物品のそれぞれに関する期限を含む。検索装置は、複数の物品のそれぞれに関する期限が経過した１以上の物品について検索を行う。
【００２２】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、複数の物品のそれぞれに関する期限が経過した１以上の物品について検索を行う。これにより、検索装置は、入庫しようとしている複数の物品のそれぞれに関する期限が経過しているか否かを特定することができる。あるいは、検索装置は、複数の物品のそれぞれに関する期限が経過した１以上の物品の識別データを特定することができる。
【００２３】
したがって、複数の物品のそれぞれに関する期限が経過したら１以上の物品を出庫すべき場合には、複数の物品のそれぞれに関する期限が経過した１以上の物品を出庫することができる。また、複数の物品のそれぞれに関する期限が経過したら１以上の物品を廃棄すべき場合には、複数の物品のそれぞれに関する期限が経過した１以上の物品を廃棄することができる。このため、入出庫の管理コストを低減することができる。
【００２４】
請求項７に係る物品管理システムは、請求項２から６のいずれかに記載の物品管理システムであって、報知装置をさらに備える。報知装置は、検索装置が検索した結果に基づいて報知を行う。
【００２５】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、検索を行う。報知装置は、検索装置が検索した結果を受け取ることができる。報知装置は、検索装置が検索した結果に基づいて報知を行う。
【００２６】
したがって、検索結果を容易に確認することができる。
【００２７】
なお、検索装置と報知装置との間のデータの受け渡しは、有線回線を介したものも含み、無線回線を介したものも含み、内部配線を介したものも含む。また、報知装置が報知を行う方法は、人間の視覚に訴えるものも含み、人間の聴覚に訴えるものも含み、人間の味覚・触覚・嗅覚・知覚などに訴えるものも含む。
【００２８】
請求項８に係る物品管理システムは、請求項７に記載の物品管理システムであって、検索装置は、保管庫内における物品の数を検索する。報知装置は、検索装置が検索した結果に基づき、保管庫内における物品の数が一定数以下になったら報知を行う。
【００２９】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、保管庫内における物品の数を検索する。報知装置は、検索装置が検索した結果を受け取ることができる。報知装置は、検索装置が検索した結果に基づき、保管庫内における物品の数が一定数以下になったら報知を行う。
【００３０】
したがって、保管庫内における物品の数が一定数以下になったことを容易に確認することができる。このため、物品の発注ミスを低減することができる。
【００３１】
請求項９に係る物品管理システムは、請求項７に記載の物品管理システムであって、報知装置は、記憶部材の近くに設けられている。
【００３２】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、検索を行う。報知装置は、検索装置が検索した結果を受け取ることができる。報知装置は、記憶部材の近くに設けられている。報知装置は、検索装置が検索した結果に基づき報知を行う。
【００３３】
したがって、報知装置が物品の近くに設けられているので、報知装置が報知した対象の物品を容易に特定することができる。
【００３４】
請求項１０に係る物品管理システムは、請求項７に記載の物品管理システムであって、報知装置は、読み出し装置の近くに設けられている。
【００３５】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、検索を行う。報知装置は、検索装置が検索した結果を受け取ることができる。報知装置は、読み出し装置の近くに設けられている。報知装置は、検索装置が検索した結果に基づき報知を行う。
【００３６】
したがって、報知装置が読み出し装置の近くに設けられているので、報知対象の物品の識別データと時間情報とを容易に特定することができる。
【００３７】
請求項１１に係る物品管理システムは、請求項７に記載の物品管理システムであって、報知装置は、保管庫における保管場所の近くに設けられている。検索装置は、物品の保管場所を検索する。
【００３８】
この物品管理システムでは、読み出し装置は、識別データと時間情報とを、あるいは識別データと時間情報と種類識別データとを、記憶部材から読み出す。検索装置は、識別データと時間情報とを、あるいは識別データと時間情報と種類識別データとを、読み出し装置から受け取ることができる。検索装置は、識別データ及び時間情報の少なくとも一方に基づいて、あるいは識別データ及び時間情報及び種類識別データの少なくとも１つに基づいて、物品の保管場所を検索する。報知装置は、検索装置が検索した結果を受け取ることができる。報知装置は、保管庫における保管場所の近くに設けられている。報知装置は、検索装置が検索した結果に基づき、保管庫における保管場所を報知することができる。
【００３９】
したがって、報知装置が保管庫における保管場所の近くに設けられているので、物品に適した保管場所を容易に特定することができる。
【００４０】
請求項１２に係る物品管理システムは、請求項１から１１のいずれかに記載の物品管理システムであって、記憶部材は、無線タグである。
【００４１】
この物品管理システムでは、記憶部材は、無線タグである。記憶部材は、複数の物品のそれぞれに対して付されている。記憶部材は、識別データと時間情報とを、あるいは識別データと時間情報と種類識別データとを、記憶している。読み出し装置は、識別データと時間情報とを受け取りたい旨の要求を、記憶部材に渡すことができる。あるいは、読み出し装置は、識別データと時間情報と種類識別データとを受け取りたい旨の要求を、記憶部材に渡すことができる。読み出し装置は、識別データと時間情報とを、あるいは識別データと時間情報と種類識別データとを、記憶部材から読み出す。
【００４２】
したがって、記憶部材が無線タグであるため、物品管理システムを低コストで構成することができる。
【００４３】
請求項１３に係る物品管理システムは、請求項１から１１のいずれかに記載の物品管理システムであって、記憶部材は、バーコードである。
【００４４】
この物品管理システムでは、記憶部材は、バーコードである。記憶部材は、複数の物品のそれぞれに対して付されている。記憶部材は、識別データと時間情報とを、あるいは識別データと時間情報と種類識別データとを、記憶している。読み出し装置は、識別データと時間情報とを、あるいは識別データと時間情報と種類識別データとを、受け取りたい旨の要求を記憶部材に渡すことができる。読み出し装置は、識別データと時間情報とを、あるいは識別データと時間情報と種類識別データとを、記憶部材から読み出す。
【００４５】
したがって、記憶部材がバーコードであるため、物品管理システムを低コストで構成することができる。
【００４６】
請求項１４に係る物品管理システムは、請求項１から１３のいずれかに記載の物品管理システムであって、空気調和機をさらに備える。空気調和機は、保管庫における管理空間を調和する。
【００４７】
この物品管理システムでは、空気調和機がさらに備えられている。記憶部材は、複数の物品のそれぞれに対して付されている。記憶部材は、識別データと時間情報とを、あるいは識別データと時間情報と種類識別データとを、記憶している。読み出し装置は、識別データと時間情報とを、あるいは識別データと時間情報と種類識別データとを、受け取りたい旨の要求を記憶部材に渡すことができる。読み出し装置は、識別データと時間情報とを、あるいは識別データと時間情報と種類識別データとを、記憶部材から読み出す。
【００４８】
したがって、空気調和機により保管庫における管理空間が調和されるので、物品を適度な状態で保管することができる。
【００４９】
請求項１５に係る物品管理方法は、保管庫における複数の物品の入出庫が管理される物品管理方法であって、第１ステップと、第２ステップとを備える。第１ステップでは、識別データと時間情報とが、記憶部材に記憶される。識別データは、複数の物品のそれぞれを他の物品から識別するデータである。時間情報は、複数の物品のそれぞれに関する時間的な情報である。記憶部材は、複数の物品のそれぞれに付される部材である。第２ステップでは、第１ステップで記憶された識別データと時間情報とが記憶部材から読み出される。
【００５０】
この物品管理方法では、第１ステップにおいて、識別データと時間情報とが記憶部材に記憶される。第２ステップにおいて、識別データと時間情報とを受け取りたい旨の要求が渡され得る。第２ステップにおいて、第１ステップで記憶された識別データと時間情報とが記憶部材から読み出される。
【００５１】
なお、記憶部材からデータが読み出される方法は、例えば、有線回線を介したもの、無線回線を介したもの、内部配線を介したものなどを含む。
【００５２】
したがって、時間情報に関する検索を容易にすることができる。このため、入出庫の管理コストを低減することができる。
【００５３】
請求項１６に係る記憶部材は、保管庫において入出庫の管理がなされる複数の物品のそれぞれに付される記憶部材であって、記憶部と、送受信部とを備える。記憶部は、識別データと時間情報とを記憶している。識別データは、複数の物品のそれぞれを他の物品から識別するデータである。時間情報は、複数の物品のそれぞれに関する時間的な情報である。送受信部は、記憶部に記憶されている情報を送受信する。
【００５４】
この記憶部材では、記憶部は、識別データと時間情報とを記憶している。送受信部は、識別データと時間情報とを受け取りたい旨の要求が渡され得る。送受信部は、記憶部に記憶されている情報を送受信する。
【００５５】
したがって、送受信部が識別データと時間情報とを送信することができるので、時間情報に関する検索を容易にすることができる。このため、入出庫の管理コストを低減することができる。
【００５６】
なお、記憶部材と読み出し装置との間のデータの受け渡しは、例えば、有線回線を介したもの、無線回線を介したもの、内部配線を介したものなどを含む。
【００５７】
請求項１７に係る読み出し装置は、記憶部材から、識別データと時間情報とを読み出す。記憶部材は、保管庫において入出庫の管理がなされる複数の物品のそれぞれに付され、識別データと時間情報とを記憶している。識別データは、複数の物品のそれぞれを他の物品から識別するデータである。時間情報は、複数の物品のそれぞれに関する時間的な情報である。
【００５８】
この読み出し装置では、識別データと時間情報とを受け取りたい旨の要求が、複数の物品のそれぞれに付された記憶部材に渡され得る。記憶部材から、識別データと時間情報とが読み出される。
【００５９】
したがって、時間情報に関する検索を容易にすることができる。このため、入出庫の管理コストを低減することができる。
【００６０】
なお、記憶部材と読み出し装置との間のデータの受け渡しは、例えば、有線回線を介したもの、無線回線を介したもの、内部配線を介したものなどを含む。
【００６１】
請求項１８に係る保管庫は、複数の物品の入出庫を管理するための保管庫であって、管理空間と、記憶部材と、読み出し装置とを備える。管理空間は、複数の物品を保管する。記憶部材は、複数の物品のそれぞれに対して付され、識別データと時間情報とを記憶している。識別データは、複数の物品のそれぞれを他の物品から識別するデータである。時間情報は、複数の物品のそれぞれに関する時間的な情報である。読み出し装置は、識別データと時間情報とを記憶部材から読み出す。
【００６２】
この保管庫では、管理空間は、複数の物品を保管する。記憶部材は、複数の物品のそれぞれに対して付され、識別データと時間情報とを記憶している。読み出し装置は、識別データと時間情報とを受け取りたい旨の要求を記憶部材に渡すことができる。読み出し装置は、識別データと時間情報とを記憶部材から読み出す。
【００６３】
したがって、時間情報に関する検索を容易にすることができる。このため、入出庫の管理コストを低減することができる。
【００６４】
なお、記憶部材と読み出し装置との間のデータの受け渡しは、例えば、有線回線を介したもの、無線回線を介したもの、内部配線を介したものなどを含む。
【発明の効果】
【００６５】
請求項１に係る物品管理システムでは、時間情報に関する検索を容易にすることができる。このため、入出庫の管理コストを低減することができる。
【００６６】
請求項２に係る物品管理システムでは、時間情報に関する検索を容易にすることができる。このため、入出庫の管理コストを低減することができる。
【００６７】
請求項３に係る物品管理システムでは、特定の物品の種類に検索対象を絞り込むことができるので、時間情報に関する検索がさらに容易になる。このため、入出庫の管理コストをさらに低減することができる。
【００６８】
請求項４に係る物品管理システムでは、時間情報が古い物品から入出庫することができる。このため、保管庫に古い物品が滞留することを低減することができる。
【００６９】
請求項５に係る物品管理システムでは、複数の物品のそれぞれに関する期限が近い１以上の物品から入出庫することができる。このため、保管庫における物品の廃棄ロスを低減することができる。
【００７０】
請求項６に係る物品管理システムでは、複数の物品のそれぞれに関する期限が経過したら１以上の物品を出庫すべき場合には、複数の物品のそれぞれに関する期限が経過した１以上の物品を出庫することができる。また、複数の物品のそれぞれに関する期限が経過したら１以上の物品を廃棄すべき場合には、複数の物品のそれぞれに関する期限が経過した１以上の物品を廃棄することができる。このため、入出庫の管理コストを低減することができる。
【００７１】
請求項７に係る物品管理システムでは、検索結果を容易に確認することができる。
【００７２】
請求項８に係る物品管理システムでは、保管庫内における物品の数が一定数以下になったことを容易に確認することができる。このため、物品の発注ミスを低減することができる。
【００７３】
請求項９に係る物品管理システムでは、報知装置が物品の近くに設けられているので、報知装置が報知した対象の物品を容易に特定することができる。
【００７４】
請求項１０に係る物品管理システムでは、報知装置が読み出し装置の近くに設けられているので、報知対象の物品の識別データと時間情報とを容易に特定することができる。
【００７５】
請求項１１に係る物品管理システムでは、報知装置が保管庫における保管場所の近くに設けられているので、物品に適した保管場所を容易に特定することができる。
【００７６】
請求項１２に係る物品管理システムでは、記憶部材が無線タグであるため、物品管理システムを低コストで構成することができる。
【００７７】
請求項１３に係る物品管理システムでは、記憶部材がバーコードであるため、物品管理システムを低コストで構成することができる。
【００７８】
請求項１４に係る物品管理システムでは、空気調和機により保管庫における管理空間が調和されるので、物品を適度な状態で保管することができる。
【００７９】
請求項１５に係る物品管理方法では、時間情報に関する検索を容易にすることができる。このため、入出庫の管理コストを低減することができる。
【００８０】
請求項１６に係る記憶部材では、送受信部が識別データと時間情報とを送信することができるので、時間情報に関する検索を容易にすることができる。このため、入出庫の管理コストを低減することができる。
【００８１】
請求項１７に係る読み出し装置では、時間情報に関する検索を容易にすることができる。このため、入出庫の管理コストを低減することができる。
【００８２】
請求項１８に係る保管庫では、時間情報に関する検索を容易にすることができる。このため、入出庫の管理コストを低減することができる。
【発明を実施するための最良の形態】
【００８３】
［第１実施形態］
本発明の第１実施形態に係る物品管理システム１の概念図を図１に示す。また、その構成図を図２に示す。ここに示す物品管理システム１は保管庫１０における物品群６０（６０ａ，６０ｂ，６０ｃ，・・・）の入出庫を管理するためのシステムである。
【００８４】
＜物品管理システム１の全体構成＞
この物品管理システム１は、主として記憶部材群２０（２０ａ，２０ｂ，２０ｃ，・・・）と読み出し装置群３０（３０ａ，３０ｂ，３０ｃ，・・・）と検索装置４０と報知装置５０と空気調和機１４とを備えている。
【００８５】
読み出し装置群３０（３０ａ，３０ｂ，３０ｃ，・・・）は、物品群６０（６０ａ，６０ｂ，６０ｃ，・・・）に付された記憶部材群２０（２０ａ，２０ｂ，２０ｃ，・・・）から、無線回線を経由して情報を読み出す。読み出し装置３０ａ，３０ｂ，３０ｃ，・・・（以下３０ａ等とする）と検索装置４０とは、有線回線で接続されている。検索装置４０と報知装置５０とは、有線回線で接続されている。
【００８６】
＜物品群６０（６０ａ，６０ｂ，６０ｃ，・・・）の構成＞
物品群６０（６０ａ，６０ｂ，６０ｃ，・・・）は、図１，図２に示すように、記憶部材群２０（２０ａ，２０ｂ，２０ｃ，・・・）が付されている。
【００８７】
＜記憶部材群２０（２０ａ，２０ｂ，２０ｃ，・・・）の構成＞
記憶部材２０ａは、図２に示すように、主として記憶部２１ａと送受信部２２ａとを備える。
【００８８】
記憶部２１ａには、図３に示すように、識別データ７１ａと種類識別データ７２ａと賞味期限７３ａと入庫時刻７４ａとが記憶されている。識別データ７１ａにより、図１に示す物品６０ａが他の物品６０ｂ，６０ｃ，・・・から識別される。図３に示す種類識別データ７２ａにより、図１に示す物品６０ａの種類が識別される。図３に示す賞味期限７３ａにより、図１に示す物品６０ａの賞味期限が把握される。図３に示す入庫時刻７４ａは、初期の状態では記憶されていないが、図１に示す保管庫１０に物品６０ａが入庫された場合にそのときの時刻が記憶部材２０ａに書き込まれる。
【００８９】
図２に示す送受信部２２ａは、読み出し装置３０ａ等から、識別データ７１ａと種類識別データ７２ａと賞味期限７３ａと入庫時刻７４ａとの少なくとも１つを受け取りたい旨の要求を無線回線経由で受信する。識別データ７１ａと種類識別データ７２ａと賞味期限７３ａと入庫時刻７４ａとの少なくとも１つは、記憶部２１ａから送受信部２２ａに渡され、送受信部２２ａから読み出し装置３０ａ等へ無線回線経由で送信される。
【００９０】
他の記憶部材２０ｂ，２０ｃ，・・・についても同様である。
【００９１】
＜読み出し装置群３０（３０ａ，３０ｂ，３０ｃ，・・・）の構成＞
読み出し装置３０ａは、図２に示すように、主として記憶部３１ａと送受信部３２ａとを備える。
【００９２】
図２に示す送受信部３２ａは、記憶部材２０ａの送受信部２２ａから、図３に示す識別データ７１ａと種類識別データ７２ａと賞味期限７３ａと入庫時刻７４ａとの少なくとも１つを無線回線経由で受信する。識別データ７１ａと種類識別データ７２ａと賞味期限７３ａと入庫時刻７４ａとの少なくとも１つは、図２に示す送受信部３２ａから記憶部３１ａに渡され、記憶部３１ａで一時的に記憶される。他の記憶部材２０ｂ，２０ｃ，・・・から受信した情報についても同様である。
【００９３】
他の読み出し装置３０ｂ，３０ｃ，・・・についても同様である。
【００９４】
＜検索装置４０の構成＞
検索装置４０は、図２に示すように、主として検索部４１と時計４２とメモリ４３とを備える。
【００９５】
検索部４１は、読み出し装置３０ａの記憶部３１ａから、図３に示す識別データ７１ａと種類識別データ７２ａと賞味期限７３ａと入庫時刻７４ａとの少なくとも１つを受け取りメモリ４３に一時的に情報を記憶させる。そして、賞味期限の経過を判断する場合、検索部４１は、時計４２を参照し現在時刻を取得して、メモリ４３に記憶された図３に示す賞味期限７３ａと比較し、報知の可否を判断する。また、図１に示す物品６０ａよりさらに古い物品がないか検索する場合、検索部４１は、図１に示す読み出し装置３０ｃに、物品６０ａ以外の物品の識別データ７１ｂ，７１ｃ，・・・と種類識別データ７２ｂ，７２ｃ，・・・と入庫時刻７４ｂ，７４ｃ，・・・との少なくとも１つを読み出させる。検索部４１は、入庫時刻７４ｂ，７４ｃ，・・・とメモリ４３に記憶された図３に示す入庫時刻７４ａとを比較し、報知の可否を判断する。検索部４１は、報知すべきであると判断したとき、報知装置５０に報知命令を渡す。
【００９６】
＜報知装置５０の構成＞
報知装置５０は、検索装置４０の検索部４１から報知命令を受け取り、ブザーによる報知を行う。
【００９７】
＜空気調和機１４の構成＞
空気調和機１４は、図１に示す保管庫１０の保管場所１１ａ，１１ｂ，１１ｃ，・・・付近の管理空間１５における温度・湿度などを適度に調整する。
【００９８】
＜保管庫１０の構成＞
図１に示すように、保管庫１０は、主として保管場所群１１（１１ａ，１１ｂ，１１ｃ，・・・）と入庫口１２と出庫口１３と空気調和機１４と管理空間１５と読み出し装置群３０（３０ａ，３０ｂ，３０ｃ，・・・）と検索装置４０と報知装置５０とを備えている。図１には、入庫口１２に読み出し装置３０ａが備えられ、出庫口１３に読み出し装置３０ｂが備えられ、保管場所群１１（１１ａ，１１ｂ，１１ｃ，・・・）付近に読み出し装置３０ｃが備えられている場合が示されている。
【００９９】
保管庫１０では、物品６０ａ，６０ｂ，６０ｃ，・・・（以下、６０ａ等とする）が入庫口１２を通って入庫され保管場所群１１（１１ａ，１１ｂ，１１ｃ，・・・）に置かれることにより、物品群６０（６０ａ，６０ｂ，６０ｃ，・・・）が保管される。保管場所群１１（１１ａ，１１ｂ，１１ｃ，・・・）付近の管理空間１５は、空気調和機１４により適度な温度・湿度に調整されている。また、必要に応じて、保管庫１０から出庫口１３を通って物品６０ａ等が出庫される。
【０１００】
＜物品群６０（６０ａ，６０ｂ，６０ｃ，・・・）が保管庫１０に入庫される処理の流れ＞
物品群６０（６０ａ，６０ｂ，６０ｃ，・・・）が保管庫１０に入庫される処理の流れを、図４に示すフローチャートを用いて説明する。ここでは、図１に示す物品６０ａが保管庫１０に入庫される場合について説明する。なお、他の物品６０ｂ，６０ｃ，・・・についても同様である。
【０１０１】
図４に示すステップＳ１では、図３に示す識別データ７１ａと種類識別データ７２ａと賞味期限７３ａとが、記憶部材２０ａに記憶される。具体的には、識別データ７１ａと種類識別データ７２ａと賞味期限７３ａとが、図２に示す送受信部２２ａで無線回線を経由して受信され、送受信部２２ａから記憶部２１ａに渡され、記憶部２１ａに記憶される。この状態では、図３に示す入庫時刻７４ａは記憶部２１ａにまだ記憶されていない。
【０１０２】
図４に示すステップＳ２では、図１に示す物品６０ａに、記憶部材２０ａが付される。具体的には、記憶部材２０ａの裏面に接着剤が塗布され、物品６０ａの包装に記憶部材２０ａが貼り付けられる。
【０１０３】
図４に示すステップＳ３では、図１に示す物品６０ａが入庫される。具体的には、物品６０ａが、保管庫１０の入庫口１２へ持って行かれる。
【０１０４】
図４に示すステップＳ４では、図１に示す読み出し装置３０ａにより記憶部材２０ａに記憶された情報が読み出される。具体的には、図３に示す識別データ７１ａと賞味期限７３ａとを受け取りたい旨の要求が、図１に示す読み出し装置３０ａから図２に示す記憶部材２０ａの送受信部２２ａに無線回線経由で受信される。図３に示す識別データ７１ａと賞味期限７３ａとは、図２に示す記憶部材２０ａの記憶部２１ａから送受信部２２ａへ渡され、送受信部２２ａから読み出し装置３０ａへ無線回線経由で送信される。そして、図３に示す識別データ７１ａと賞味期限７３ａとは、図２に示す読み出し装置３０ａの送受信部３２ａで受信され、送受信部３２ａから記憶部３１ａへ渡され、記憶部３１ａで記憶される。
【０１０５】
図４に示すステップＳ５では、図１に示す検索装置４０で比較が行われる。具体的には、図３に示す識別データ７１ａと賞味期限７３ａとが、図２に示す読み出し装置３０ａの記憶部３１ａから検索部４１へ渡され、検索部４１からメモリ４３へ渡され、メモリ４３で一時的に記憶される。そして、検索部４１により時計４２が参照され、現在時刻の情報が時計４２から検索部４１に渡される。検索部４１により、現在時刻と、メモリ４３に記憶された図３に示す賞味期限７３ａとが、比較される。
【０１０６】
図４に示すステップＳ６では、図３に示す賞味期限７３ａが経過しているか否かが判断される。賞味期限７３ａが経過していると判断された場合、すなわち報知すべきであると判断された場合は、ステップＳ９へ進められ、賞味期限７３ａが経過していないと判断された場合、すなわち報知すべきでないと判断された場合は、ステップＳ７へ進められる。
【０１０７】
図４に示すステップＳ７では、図１に示す記憶部材２０ａに入庫時刻が書き込まれる。具体的には、現在時刻の情報が、図２に示す検索装置４０の検索部４１から読み出し装置３１ａの記憶部３１ａへ渡され、記憶部３１ａから送受信部３２ａへ渡される。そして、現在時刻の情報が、読み出し装置３０ａの送受信部３２ａから無線回線経由で記憶部材２０ａへ送信され、記憶部材２０ａの送受信部２２ａで受信される。さらに、現在時刻の情報が、記憶部材２０ａの送受信部２２ａから記憶部２１ａへ渡され、記憶部２１ａで図３に示す入庫時刻７４ａとして記憶される。
【０１０８】
図４に示すステップＳ８では、図１に示す物品６０ａが保管される。具体的には、物品６０ａが、保管庫１０の入庫口１２から保管場所１１ａ，１１ｂ，１１ｃ，・・・へ運ばれ、保管場所１１ａ，１１ｂ，１１ｃ，・・・へ置かれる。
【０１０９】
図４に示すステップＳ９では、報知がなされる。具体的には、図２に示す検索装置４０の検索部４１から報知装置５０に報知命令が送られ、ブザーによる報知が報知装置５０により行われる。
【０１１０】
＜物品群６０（６０ａ，６０ｂ，６０ｃ，・・・）が保管庫１０から出庫される処理の流れ＞
物品群６０（６０ａ，６０ｂ，６０ｃ，・・・）が保管庫１０から出庫される処理の流れを、図５に示すフローチャートを用いて説明する。ここでは、図１に示す物品６０ｂが保管庫１０から出庫される場合について説明する。なお、他の物品６０ａ，６０ｃ，・・・についても同様である。
【０１１１】
図５に示すステップＳ１１（図５で示す（１））では、図１に示す物品６０ｂが出庫される。具体的には、物品６０ｂが、保管場所１１ａ，１１ｂ，１１ｃ，・・・から保管庫１０の出庫口１３へ持って行かれる。
【０１１２】
図５に示すステップＳ１２では、図１に示す読み出し装置３０ｂにより記憶部材２０ｂに記憶された情報が読み出される。具体的には、図３に示す識別データ７１ｂと種類識別データ７２ｂと入庫時刻７４ｂとを受け取りたい旨の要求が、図１に示す読み出し装置３０ｂから、図２に示すような記憶部材２０ｂの送受信部２２ｂで無線回線を経由して受信される。図３に示す識別データ７１ｂと種類識別データ７２ｂと入庫時刻７４ｂとは、図２に示すような記憶部材２０ｂの記憶部２１ｂから送受信部２２ｂへ渡され、送受信部２２ｂから読み出し装置３０ｂへ無線回線経由で送信される。そして、図３に示す識別データ７１ｂと種類識別データ７２ｂと入庫時刻７４ｂとは、図２に示すような読み出し装置３０ｂの送受信部３２ｂで受信され、送受信部３２ｂから記憶部３１ｂへ渡され、記憶部３１ｂで記憶され、図２に示す読み出し装置３０ａの記憶部３１ａから検索装置４０の検索部４１へ渡され、検索部４１からメモリ４３へ渡され、メモリ４３で一時的に記憶される（図５で示す（２））。
【０１１３】
図５に示すステップＳ１３では、図１に示す読み出し装置３０ｃにより、他の物品６０ａ，６０ｃ，・・・に付された記憶部材２０ａ，２０ｃ，・・・に記憶された情報が読み出される。具体的には、図２に示す検索装置４０の検索部４１により、他の図１に示す物品６０ａ，６０ｃ，・・・のいずれかが選択され、選択された物品６０ａ，６０ｃ，・・・に付された記憶部材２０ａ，２０ｃ，・・・に記憶されている図３に示す識別データ７１ａ，７１ｃ，・・・と種類識別データ７２ａ，７２ｃ，・・・と入庫時刻７４ａ，７４ｃ，・・・とを読み出したい旨の要求が、図２に示すような読み出し装置３０ｃの記憶部３１ｃに渡される。その要求は、読み出し装置３０ｃの記憶部３１ｃから送受信部３２ｃに渡され、選択された物品６０ａ，６０ｃ，・・・の記憶部材２０ａ，２０ｃ，・・・に無線回線経由で送信される。そして、その要求は、選択された物品６０ａ，６０ｃ，・・・の記憶部材２０ａ，２０ｃ，・・・の送受信部２２ａ，２２ｃ，・・・に無線回線経由で受信される。これにより、図３に示す識別データ７１ａ，７１ｃ，・・・と種類識別データ７２ａ，７２ｃ，・・・と入庫時刻７４ａ，７４ｃ，・・・とが、図２に示す記憶部２１ａ，２１ｃ，・・・から送受信部２２ａ，２２ｃ，・・・へ渡され、送受信部２２ａ，２２ｃ，・・・から読み出し装置３０ｃへ送信され、読み出し装置３０ｃの送受信部３２ｃで受信される。そして、図３に示す識別データ７１ａ，７１ｃ，・・・と種類識別データ７２ａ，７２ｃ，・・・と入庫時刻７４ａ，７４ｃ，・・・とが、図２に示す読み出し装置３０ｃの送受信部３２ｃから記憶部３１ｃへ渡され、記憶部３１ｃで記憶される。
【０１１４】
図５に示すステップＳ１４では、図１に示す物品６０ｂと物品６０ａ，６０ｃ，・・・との種類が比較される。具体的には、図３に示す識別データ７１ａ，７１ｃ，・・・と種類識別データ７２ａ，７２ｃ，・・・と入庫時刻７４ａ，７４ｃ，・・・とが、図２に示すような読み出し装置３０ｃの記憶部３１ｃから検索装置４０の検索部４１に渡される。図３に示す種類識別データ７２ａ，７２ｃ，・・・と図２に示すメモリ４３に記憶された図３に示す種類識別データ７２ｂとが、図２に示す検索部４１により比較される。
【０１１５】
図５に示すステップＳ１５では、図１に示す物品６０ｂと物品６０ａ，６０ｃ，・・・との種類が同じであるか否かが判断される。図３に示す種類識別データ７２ａ，７２ｃ，・・・と図２に示すメモリ４３に記憶された図３に示す種類識別データ７２ｂとが同じであれば、物品の種類が同じであると判断され、図５に示すステップＳ１６へ進められる。図３に示す種類識別データ７２ａ，７２ｃ，・・・と図２に示すメモリ４３に記憶された図３に示す種類識別データ７２ｂとが同じでなければ、物品の種類が同じでないと判断され、図６に示すステップＳ２１（図５，図６で示す（４））へ進められる。
【０１１６】
図５に示すステップＳ１６では、図３に示す入庫時刻７４ａ，７４ｃ，・・・と入庫時刻７４ｂとが比較される。具体的には、図２に示す検索部４１により、図３に示す入庫時刻７４ａ，７４ｃ，・・・と、図２に示すメモリ４３に記憶された図３に示す入庫時刻７４ｂとが、比較される（図５，図６で示す（３））。
【０１１７】
図５に示すステップＳ１７では、図１に示す物品６０ｂよりも図３に示す入庫時刻７４ｂの古い物品が図１に示す保管庫１０内にあるか否かが判断される。具体的には、図３に示す入庫時刻７４ａ，７４ｃ，・・・が入庫時刻７４ｂよりも古ければ、図１に示す物品６０ｂよりも図３に示す入庫時刻７４ａ，７４ｃ，・・・の古い図１に示す物品６０ａ，６０ｃ，・・・が保管庫１０内にあると判断され、すなわち報知すべきであると判断され、ステップＳ１８へ進められる。図３に示す入庫時刻７４ａ，７４ｃ，・・・が入庫時刻７４ｂよりも古くなければ、図１に示す物品６０ｂよりも図３に示す入庫時刻７４ａ，７４ｃ，・・・の古い図１に示す物品６０ａ，６０ｃ，・・・が保管庫１０内にないと判断され、すなわち報知すべきでないと判断され、ステップＳ２１へ進められる（図６で示す（４））。
【０１１８】
図５に示すステップＳ１８では、報知がなされる。具体的には、図２に示す検索装置４０の検索部４１から報知装置５０に報知命令が送られ、ブザーによる報知が報知装置５０により行われる。
【０１１９】
図５に示すステップＳ１９では、図１に示す物品６０ｂが再入庫される。具体的には、物品６０ｂが、保管庫１０の出庫口から保管場所１１ａ，１１ｂ，１１ｃ，・・・へ運ばれ、保管場所１１ａ，１１ｂ，１１ｃ，・・・へ置かれる。
【０１２０】
図５に示すステップＳ２０では、出庫すべき対象の図１に示す物品６０ａ等が変更される。具体的には、図１に示す物品６０ｂ及びそれまでに選択された物品６０ａ等以外の物品が選択される。
【０１２１】
図５に示すステップＳ２１では、全ての図１に示す物品６０ａ，６０ｃ，・・・について検索されたか否かが判断される。全ての図１に示す物品６０ａ，６０ｃ，・・・について検索されたと判断された場合は、図５に示すステップＳ２２へ進められ、全ての図１に示す物品６０ａ，６０ｃ，・・・について検索されていないと判断された場合は、図５に示すステップＳ１３（図６，図５で示す（２））へ進められる。
【０１２２】
図５に示すステップＳ２２では、図１に示す物品６０ａ等が搬出される。具体的には、物品６０ｂより図３に示す入庫時刻７４ａ，７４ｃ，・・・の古い図１に示す物品６０ａ，６０ｃ，・・・がない場合には、物品６０ｂが搬出され、物品６０ｂより図３に示す入庫時刻７４ａ，７４ｃ，・・・の古い図１に示す物品６０ａ，６０ｃ，・・・がある場合には、物品６０ｂより入庫時刻の古い物品６０ａ，６０ｃ，・・・が搬出されることになる。
【０１２３】
＜物品管理システム１に関する特徴＞
（１）
ここでは、図１，図２に示す記憶部材２０ａ，２０ｂ，２０ｃ，・・・（以下２０ａ等とする）は、主として図３に示す識別データ７１ａ，７１ｂ，７１ｃ，・・・（以下７１ａ等とする）と、賞味期限７３ａ，７３ｂ，７３ｃ，・・・（以下７３ａ等とする）と、入庫時刻７４ａ，７４ｂ，７４ｃ，・・・（以下７４ａ等とする）とを、記憶している。図１，図２に示す記憶部材２０ａ等は、物品群６０（６０ａ，６０ｂ，６０ｃ，・・・）のそれぞれに対して付されている。読み出し装置３０ａ等は、図３に示す識別データ７１ａ等と賞味期限７３ａ等又は入庫時刻７４ａ等とを受け取りたい旨の要求を、図１，図２に示す記憶部材２０ａ等に渡す。読み出し装置３０ａ等は、図３に示す識別データ７１ａ等と、賞味期限７３ａ等又は入庫時刻７４ａ等とを、図１，図２に示す記憶部材２０ａ等から読み出す。図１，図２に示す検索装置４０は、図３に示す識別データ７１ａ等と、賞味期限７３ａ等又は入庫時刻７４ａ等とを、図１，図２に示す読み出し装置３０ａ等から受け取る。検索装置４０は、読み出し装置３０ａ等が読み出した図３に示す識別データ７１ａ等と賞味期限７３ａ等又は入庫時刻７４ａ等との少なくとも一方に基づいて、検索を行う。
【０１２４】
したがって、図３に示す賞味期限７３ａ等又は入庫時刻７４ａ等に関する検索が容易に行われる。このため、保管庫１０における入出庫の管理コストが低減される。
【０１２５】
（２）
ここでは、図１，図２に示す記憶部材２０ａ等は、物品群６０（６０ａ，６０ｂ，６０ｃ，・・・）のそれぞれに対して付されている。図１，図２に示す記憶部材２０ａ等は、図３に示す識別データ７１ａ等と、賞味期限７３ａ等と、入庫時刻７４ａ等と、種類識別データ７２ａ，７２ｂ，７２ｃ，・・・（以下７２ａ等とする）とを、記憶している。図１，図２に示す読み出し装置３０ａ等は、図３に示す識別データ７１ａ等と賞味期限７３ａ等又は入庫時刻７４ａ等と種類識別データ７２ａ等とを受け取りたい旨の要求を、図１，図２に示す記憶部材２０ａ等に渡す。図１，図２に示す読み出し装置３０ａ等は、図３に示す識別データ７１ａ等と、賞味期限７３ａ等又は入庫時刻７４ａ等と、種類識別データ７２ａ等とを、図１，図２に示す記憶部材２０ａ等から読み出す。図１，図２に示す検索装置４０は、図３に示す識別データ７１ａ等と、賞味期限７３ａ等又は入庫時刻７４ａ等と、種類識別データ７２ａ等とを、図１，図２に示す読み出し装置３０ａ等から受け取る。図１，図２に示す検索装置４０は、図３に示す識別データ７１ａ等と賞味期限７３ａ等又は入庫時刻７４ａ等と種類識別データ７２ａ等との少なくとも１つに基づいて、検索を行う。
【０１２６】
したがって、図５に示すステップＳ１５において特定の物品の種類に検索対象が絞り込まれるので、図３に示す賞味期限７３ａ等又は入庫時刻７４ａ等に関する検索がさらに容易になる。このため、保管庫１０における入出庫の管理コストがさらに低減される。
【０１２７】
（３）
ここでは、図１，図２に示す読み出し装置３０ａ等は、図３に示す識別データ７１ａ等と入庫時刻７４ａ等と種類識別データ７２ａ等とを、図１，図２に示す記憶部材２０ａ等から読み出す。検索装置４０は、図３に示す識別データ７１ａ等と入庫時刻７４ａ等と種類識別データ７２ａ等とを、図１，図２に示す読み出し装置３０ａ等から受け取る。図１，図２に示す検索装置４０は、図３に示す識別データ７１ａ等と入庫時刻７４ａ等と種類識別データ７２ａ等とに基づいて、出庫しようとしている物品６０ｂよりも入庫時刻７４ａ等が古い物品について検索を行う。これにより、図１，図２に示す検索装置４０は、出庫しようとしている物品６０ｂよりも入庫時刻７４ａ等が古い物品６０ａ，６０ｃ，・・・が保管庫１０内にあるか否かがを特定される。
【０１２８】
したがって、図３に示す入庫時刻７４ａ等が古い物品６０ａ等から出庫される。このため、図１に示す保管庫１０に図３に示す入庫時刻７４ａ等の古い物品６０ａ等が滞留することが低減される。
【０１２９】
（４）
ここでは、図１，図２に示す読み出し装置３０ａ等は、図３に示す識別データ７１ａ等と賞味期限７３ａ等と種類識別データ７２ａ等とを、図１，図２に示す記憶部材２０ａ等から読み出す。検索装置４０は、図３に示す識別データ７１ａ等と賞味期限７３ａ等と種類識別データ７２ａ等とを、図１，図２に示す読み出し装置３０ａ等から受け取る。検索装置４０は、時計４２から現在時刻の情報を取得し、図３に示す識別データ７１ａ等と賞味期限７３ａ等と種類識別データ７２ａ等とに基づいて、賞味期限７３ａ等が経過した図１に示す物品６０ａ等について検索を行う。これにより、検索装置４０は、入庫しようとしている物品６０ａ等の図３に示す賞味期限７３ａ等が経過しているか否かを特定する。
【０１３０】
したがって、入庫しようとしている図１に示す物品６０ａ等の図３に示す賞味期限７３ａ等が経過していた場合に、賞味期限７３ａ等を経過している図１に示す物品６０ａ等が廃棄される。このため、保管庫１０における入出庫の管理コストが低減される。
【０１３１】
（５）
ここでは、図１，図２に示す読み出し装置３０ａ等は、図３に示す識別データ７１ａ等と賞味期限７３ａ等又は入庫時刻７４ａ等とを、あるいは識別データ７１ａ等と賞味期限７３ａ等又は入庫時刻７４ａ等と種類識別データ７２ａ等とを、図１，図２に示す記憶部材２０ａ等から読み出す。検索装置４０は、図３に示す識別データ７１ａ等と賞味期限７３ａ等又は入庫時刻７４ａ等とを、あるいは識別データ７１ａ等と賞味期限７３ａ等又は入庫時刻７４ａ等と種類識別データ７２ａ等とを、図１，図２に示す読み出し装置３０ａ等から受け取る。検索装置４０は、図３に示す識別データ７１ａ等と賞味期限７３ａ等又は入庫時刻７４ａ等とに基づいて、あるいは識別データ７１ａ等と賞味期限７３ａ等又は入庫時刻７４ａ等と種類識別データ７２ａ等とに基づいて、検索を行い、報知の可否を判断する。図１，図２に示す報知装置５０は、検索装置４０が検索した結果すなわち報知命令を受け取る。報知装置５０は、報知命令に基づいてブザーによる報知を行う。
【０１３２】
したがって、検索装置４０が報知すべきであると判断した場合にブザーによる報知が行われるので、入庫しようとしている物品６０ａ等や出庫しようとしている物品６０ａ等が報知されるべき物品６０ａ等であることが、容易に確認される。
【０１３３】
（６）
ここでは、図４に示すステップＳ１において、図３に示す識別データ７１ａと種類識別データ７２ａと賞味期限７３ａとが、図１，図２に示す記憶部材２０ａに無線回線を経由して書き込まれる。また、図４に示すステップＳ７において、図３に示す入庫時刻７４ａが、図１，図２に示す記憶部材２０ａに無線回線を経由して書き込まれる。すなわち、記憶部材２０ａ等は、無線タグである。記憶部材２０ａ等は、物品群６０（６０ａ，６０ｂ，６０ｃ，・・・）のそれぞれに対して付されている。記憶部材２０ａ等は、図３に示す識別データ７１ａ等と種類識別データ７２ａ等と賞味期限７３ａ等と入庫時刻７４ａ等とを記憶している。図１，図２に示す読み出し装置３０ａ等は、図３に示す識別データ７１ａ等と賞味期限７３ａ等又は入庫時刻７４ａ等とを受け取りたい旨の要求を、記憶部材２０ａ等に渡す。あるいは、図１，図２に示す読み出し装置３０ａ等は、図３に示す識別データ７１ａ等と賞味期限７３ａ等又は入庫時刻７４ａ等と種類識別データ７２ａ等とを受け取りたい旨の要求を、図１，図２に示す記憶部材２０ａ等に渡す。図１，図２に示す読み出し装置３０ａ等は、図３に示す識別データ７１ａ等と賞味期限７３ａ等又は入庫時刻７４ａ等とを、あるいは識別データ７１ａ等と賞味期限７３ａ等又は入庫時刻７４ａ等と種類識別データ７２ａ等とを、図１，図２に示す記憶部材２０ａ等から読み出す。
【０１３４】
したがって、図１，図２に示す記憶部材２０ａ等が無線タグであるため、物品管理システム１が低コストで構成される。
【０１３５】
（７）
ここでは、図１に示す空気調和機１４が備えられている。図１，図２に示す記憶部材２０ａ等は、物品群６０（６０ａ，６０ｂ，６０ｃ，・・・）のそれぞれに対して付されている。記憶部材２０ａ等は、図３に示す識別データ７１ａ等と賞味期限７３ａ等と入庫時刻７４ａ等と種類識別データ７２ａ等とを記憶している。図１，図２に示す読み出し装置３０ａ等は、図３に示す識別データ７１ａ等と賞味期限７３ａ等又は入庫時刻７４ａ等とを受け取りたい旨の要求を、記憶部材２０ａ等に渡す。あるいは、図１，図２に示す読み出し装置３０ａ等は、図３に示す識別データ７１ａ等と賞味期限７３ａ等又は入庫時刻７４ａ等と種類識別データ７２ａ等とを受け取りたい旨の要求を、図１，図２に示す記憶部材２０ａ等に渡す。図１，図２に示す読み出し装置３０ａ等は、図３に示す識別データ７１ａ等と賞味期限７３ａ等又は入庫時刻７４ａ等とを、あるいは識別データ７１ａ等と賞味期限７３ａ等又は入庫時刻７４ａ等と種類識別データ７２ａ等とを、図１，図２に示す記憶部材２０ａ等から読み出す。
【０１３６】
したがって、図１に示す空気調和機１４により保管庫１０における保管場所１１ａ，１１ｂ，１１ｃ，・・・の管理空間１５が調和されるので、物品６０ａ等が適度な状態で保管される。
【０１３７】
＜第１実施形態の変形例＞
（Ａ）図１，図２に示す記憶部材２０ａ等と読み出し装置３０ａ等との間のデータの受け渡しは、無線回線を介したものでなくてもよい。すなわち、有線回線を介したものであってもいいし、内部配線を介したものであってもいい。検索装置４０と報知装置５０との間のデータの受け渡しは、有線回線を介したものでなくてもよい。すなわち、無線回線を介したものでもいいし、内部配線を介したものでもいい。
（Ｂ）図１，図２に示す報知装置５０が報知を行う方法は、ブザーによる報知のように人間の聴覚に訴えるものでなくてもよい。すなわち、ＬＥＤ表示や液晶表示のように人間の視覚に訴えるものでもいいし、人間の味覚・触覚・嗅覚・知覚などに訴えるものでもいい。この場合でも、検索装置４０が報知すべきであると判断した場合に報知が行われるので、入庫しようとしている物品６０ａ等や出庫しようとしている物品６０ａ等が報知されるべき物品６０ａ等であることが、容易に確認される。
（Ｃ）図１，図２に示す記憶部材２０ａ等は、無線タグの代わりに、無線式のＩＣカード（非接触型ＩＣカード）であってもよいし、チップ型、ラベル型、筒型、コイン型、箱型、スティック型等であってもよい。あるいは、バーコードであってもよい。１次元のバーコードでは記録すべき情報量が不足する場合には、２次元のバーコードであってもよい。例えば、図３に示す識別データ７１ａ等と種類識別データ７２ａ等とが１段目のバーコードに記憶され、賞味期限７３ａ等と入庫時刻７４ａ等とが２段目のバーコードに記憶されてもよい。この場合、図１，図２に示す記憶部材２０ａ等から読み出し装置３０ａ等へのデータの受け渡しは、赤外線や可視光などを介してバーコードが読みとられることにより行われる。読み出し装置３０ａ等から記憶部材２０ａ等へのデータの受け渡しは、読み出し装置３０ａ等が出力したバーコードが記憶部材２０ａ等の上に貼り付けられることにより行われる。この場合でも、図３に示す賞味期限７３ａ等又は入庫時刻７４ａ等に関する検索が容易に行われるため、保管庫１０における入出庫の管理コストが低減される。
（Ｄ）図５に示すステップＳ１７では、図１に示す物品６０ｂよりも図３に示す入庫時刻７４ｂの古い物品が図１に示す保管庫１０内にあるか否かが判断される代わりに、図１に示す物品６０ｂよりも図３に示す賞味期限７３ｂの古い物品が図１に示す保管庫１０内にあるか否かが判断されてもよい。この場合、図３に示す賞味期限７３ｂ等が古い物品から出庫されるため、図１に示す保管庫１０に図３に示す賞味期限７３ｂ等の古い物品が滞留することが低減される。
（Ｅ）図１，図２に示す記憶部材２０ａ等は、図３に示す種類識別データ７２ａ等を記憶していなくてもよい。この場合、図５に示す出庫処理においてステップＳ１４，ステップＳ１５が省略されることになるが、図１に示す検索装置４０における処理が簡略化されるため、検索装置４０が低コストで製造される。空気調和機１４はなくてもよい。この場合、物品６０ａ等は、常温で保存できるものに限定されるが、電気代が節約される。
（Ｆ）図１において、入庫口１２と出庫口１３とは、入出庫口１２ａとして１つになっていてもよい。この場合、入出庫口１２ａの進行方向に沿って２つのセンサーが配置されることにより、入庫であるか出庫であるかが判別されてもよい。
［第２実施形態］
本発明の第２実施形態に係る物品管理システム１０１の概念図を図７に示す。また、その構成図を図８に示す。図７及び図８において、図１及び図２の物品管理システム１の構成要素と同様の構成要素は同じ番号で示してある。
【０１３８】
この物品管理システム１０１は、基本的な構造は第１実施形態と同様であるが、図７に示すように、報知装置群１５０（１５０ａ，１５０ｂ，１５０ｃ，・・・）が記憶部材群１２０（１２０ａ，１２０ｂ，１２０ｃ，・・・）に備えられている点で構成が異なる。すなわち、図８に示すように、検索装置１４０の検索部１４１で検索された結果と報知命令とが、検索部１４１から記憶部３１ａを経由して送受信部３２ａへ渡され、送受信部３２ａから無線回線を経由して送受信部２２ａへ送信される。そして、検索装置１４０の検索部１４１で検索された結果と報知命令とが、送受信部２２ａで受信され、送受信部２２ａから報知装置１５０ａに渡される。報知装置１５０ａは、検索部１４１で検索された結果と報知命令とに基づき、図７に示すようにＬＥＤ表示による報知を行う。したがって、報知装置１５０ａが物品６０ａの近くに設けられているので、報知装置１５０ａが報知した対象の物品が容易に特定される。
【０１３９】
この物品管理システム１０１は、図７に示す保管庫１０における物品群６０（６０ａ，６０ｂ，６０ｃ，・・・）の入出庫を管理する処理の流れが第１実施形態と異なる。すなわち、第１実施形態では、図１に示す保管庫１０に物品６０ａ等が入庫される場合が図４に示され、図１に示す保管庫１０から物品６０ａ等が出庫される場合が図５，図６に示されていた。それに対して、第２実施形態では、図７に示す保管庫１０に物品６０ａ等が保管されている状態で検索が行われる点で第１実施形態と異なる。
【０１４０】
図７に示す保管庫１０に物品６０ａ等が保管されている状態で検索が行われる際の処理の流れは、図９に示すように、次の点で第１実施形態と異なる。図９に示すステップＳ２１では、図７に示す読み出し装置１３０ａに検索命令がユーザにより入力される。図９に示すステップＳ２２では、物品検索処理が行われる。ステップＳ２３では、物品検索処理により検索された結果すなわち報知すべき物品６０ａ等の識別データ７１ａ等と報知命令とが、検索部１４１から、図８に示す記憶部３１ａ・送受信部３２ａ・無線回線・送受信部２２ａを経由して、報知装置５０へ渡される。図９に示すステップＳ２４では、報知すべき物品６０ａ等の識別データ７１ａ等と報知命令とに基づき、ＬＥＤ表示による報知が報知装置１５０ａ，１５０ｂ，１５０ｃ，・・・により行われる。
【０１４１】
図９に示す物品検索処理Ｓ２２の詳細は、次の点で第１実施形態と異なる。図１０に示すステップＳ３１では、図７に示す記憶部材１２０ａ，１２０ｂ，１２０ｃ，・・・に記憶された図３に示す識別データ７１ａ等と賞味期限７３ａ等とが、図７，図８に示す読み出し装置１３０ａにより、記憶部材１２０ａ，１２０ｂ，１２０ｃ，・・・から読み出される。そして、図３に示す識別データ７１ａ等と賞味期限７３ａ等とは、図７，図８に示す読み出し装置１３０ａから検索装置１４０の検索部１４１へ渡される。図１０に示すステップＳ３２では、図８に示す検索部１４１へ渡された図３に示す賞味期限７３ａ等が、図８に示すメモリ４３に記憶された図３に示す賞味期限７３ａ等と比較される。すなわち、特定の賞味期限７３ａ等に対する比較でなく、複数の賞味期限７３ａ等において古いものを検索するための比較が行われる。図１０に示すステップＳ３３では、図８に示す検索部１４１へ渡された図３に示す賞味期限７３ａ等が、図８に示すメモリ４３に記憶された図３に示す賞味期限７３ａ等より古いか否かが判断される。古いと判断された場合は、ステップＳ３４へ進められ、古くないと判断された場合は、ステップＳ３５へ進められる。ステップＳ３４では、図８に示すメモリ４３に記憶された図３に示す賞味期限７３ａ等が、図８に示す検索部１４１へ渡された図３に示す賞味期限７３ａ等により、図８に示すメモリ４３において上書きされる。図１０に示すステップＳ３５では、全ての図７に示す物品６０ａ等について検索が行われたか否かが図８に示す検索部１４１において判断される。全ての図７に示す物品６０ａ等について検索が行われたと判断された場合は、処理が終了され、全ての図７に示す物品６０ａ等について検索が行われていないと判断された場合は、ステップＳ３１へ進められる。これにより、図８に示す検索装置１４０は、図３に示す賞味期限７３ａ等が古い図７に示す物品６０ａ等の図３に示す識別データ７１ａ等が特定される。したがって、賞味期限７３ａ等が古い図７に示す物品６０ａ等から入出庫されるため、保管庫１０に図３に示す賞味期限７３ａ等が古い図７に示す物品６０ａ等が滞留することが低減される点は第１実施形態と同様である。
【０１４２】
図７，図８に示す記憶部材１２０ａ等に、図３に示す識別データ７１ａ等だけでなく賞味期限７３ａ等や入庫時刻７４ａ等が記憶されている点も、第１実施形態と同様である。したがって、このような図７に示す物品管理システム１０１によっても、図３に示す賞味期限７３ａ等又は入庫時刻７４ａ等に関する検索が容易に行われるため、図７に示す保管庫１０における入出庫の管理コストが低減される。
【０１４３】
＜第２実施形態の変形例＞
（Ａ）図９に示す物品検索処理Ｓ２２の詳細は、図１０に示す通りでなくてもよい。すなわち、図１１に示す処理であってもよい。図１１において、図１０と同様の処理は、同じ番号で示してある。図１１に示す処理は、次の点で図１０に示す処理と異なる。図１１に示すステップＳ４１では、図８に示す検索部１４１へ渡された図３に示す賞味期限７３ａ等が、図８に示す時計４２から取得された現在時刻の情報と比較される。図１１に示すステップＳ４２では、図３に示す賞味期限７３ａ等まで近いか否かが判断される。例えば、賞味期限７３ａ等までの日数が３日以内であれば、賞味期限７３ａ等まで近いと判断される。賞味期限７３ａ等まで近いと判断された場合は、図１１に示すステップＳ４３へ進められ、図３に示す賞味期限７３ａ等まで近くないと判断された場合は、図１１に示すステップＳ３５へ進められる。図１１に示すステップＳ４３では、図３に示す識別データ７１ａ等と賞味期限７３ａ等とが、図８に示すメモリ４３に追加で書き込まれる。これにより、図８に示す検索装置１４０は、図３に示す賞味期限７３ａ等が近い図７に示す物品６０ａ等の図３に示す識別データ７１ａ等を特定する。したがって、賞味期限７３ａ等が近い図７に示す物品６０ａ等から入出庫することができるので、保管庫１０における物品の廃棄ロスを低減することができる。
（Ｂ）図９に示す物品検索処理Ｓ２２の詳細は、図１０に示す通りでなくてもよい。すなわち、図１２に示す処理であってもよい。図１２において、図１０と同様の処理は、同じ番号で示してある。図１２に示す処理は、次の点で図１０に示す処理と異なる。図１２に示すステップＳ５１では、図８に示す検索部１４１へ渡された図３に示す賞味期限７３ａ等が、図８に示す時計４２から取得された現在時刻の情報と比較される。図１２に示すステップＳ５２では、図３に示す賞味期限７３ａ等が経過したか否かが判断される。賞味期限７３ａ等が経過したと判断された場合は、図１２に示すステップＳ５３へ進められ、図３に示す賞味期限７３ａ等が経過していないと判断された場合は、図１２に示すステップＳ３５へ進められる。図１２に示すステップＳ５３では、図３に示す識別データ７１ａ等と賞味期限７３ａ等とが、図８に示すメモリ４３に追加で書き込まれる。これにより、検索装置１４０は、図３に示す賞味期限７３ａ等が経過した図７に示す物品６０ａ等の図３に示す識別データ７１ａ等を特定する。したがって、賞味期限７３ａ等が経過した図７に示す物品６０ａ等を廃棄することができる。このため、入出庫の管理コストを低減することができる。
（Ｃ）図７，図８に示す記憶部材１２０ａ，１２０ｂ，１２０ｃ，・・・には、図３に示す賞味期限７３ａ等の代わりに、物品６０ａ等を保管庫１０に保管すべき期限である保管期限が記憶されていてもよい。例えば、物品６０ａ等がワインやバナナである場合、保管期限が経過したあとに、物品６０ａ等が保管庫１０から出庫される。この場合、図９に示す物品検索処理Ｓ２２の詳細は、図１２に示す処理となり、賞味期限７３ａ等の代わりに、保管期限が経過したか否かが検索される。したがって、保管期限が経過した物品６０ａ等を出庫ことができる。このため、入出庫の管理コストを低減することができる。
（Ｄ）図９に示す物品検索処理Ｓ２２の詳細は、図１０に示す通りでなくてもよい。すなわち、図１３に示す処理であってもよい。図１３において、図１０と同様の処理は、同じ番号で示してある。図１３に示す処理は、次の点で図１０に示す処理と異なる。図１３に示すステップＳ６１では、図３に示す種類識別データ７２ａ等の個数が１だけ加算される。図１３に示すステップＳ６２では、図８に示すメモリ４３に記憶されている図３に示す種類識別データ７２ａ等の個数が、加算された図３に示す種類識別データ７２ａ等の個数により、図８に示すメモリ４３において上書きされる。図１３に示すステップＳ６３では、図３に示す種類識別データ７２ａ等の物品６０ａ等を発注すべき個数が、図８に示す記憶部３１ａから検索部１４１へ渡される。その発注すべき個数は、図８に示すメモリ４３に記憶されている図３に示す種類識別データ７２ａ等の個数と、検索部１４１で比較される。図１３に示すステップＳ６４では、図３に示す種類識別データ７２ａ等の個数が発注すべき個数以下であるか否かが、検索部１４１で判断される。図３に示す種類識別データ７２ａ等の個数が発注すべき個数以下であると判断された場合は、図１３に示すステップＳ６５へ進められ、図３に示す種類識別データ７２ａ等の個数が発注すべき個数以下でないと判断された場合は、図１２に示すステップＳ６６へ進められる。図１３に示すステップＳ６５では、図３に示す識別データ７１ａ等と種類識別データ７２ａ等とが、図８に示すメモリ４３に追加書き込みされる。図１３に示すステップＳ６６では、全ての図３に示す種類識別データ７２ａ等について検索が行われた否かが判断される。全ての図３に示す種類識別データ７２ａ等について検索が行われたと判断された場合は、処理が終了され、全ての図３に示す種類識別データ７２ａ等について検索が行われていないと判断された場合は、図１３に示すステップＳ６３へ進められる。これにより、図８に示す報知装置１５０ａ，１５０ｂ，１５０ｃ，・・・は、図３に示す識別データ７１ａ等と種類識別データ７２ａ等と報知命令とを、図８に示す読み出し装置１３０ａ等と無線回線とを経由して検索装置１４０から受け取る。報知装置１５０ａ，１５０ｂ，１５０ｃ，・・・は、図７に示す保管庫１０内における物品の数が発注すべき個数以下になった物品６０ａ等について、ＬＥＤ表示による報知を行う。したがって、保管庫１０内における物品の数が発注すべき個数以下になったことを容易に確認することができるので、物品の発注ミスを低減することができる。
（Ｅ）図１０から図１２に示す処理において、図３に示す賞味期限７３ａ等が比較される代わりに、入庫時刻７４ａ等が比較されてもよい。図７，図８に示す読み出し装置１３０ａの代わりに、読み出し装置３０ｃにより、記憶部材１２０ａ，１２０ｂ，１２０ｃ，・・・に記憶された情報が読み出されてもよい。これらの場合でも、同様に、入出庫の管理コストを低減することができる。
［第３実施形態］
本発明の第３実施形態に係る物品管理システム２０１の概念図を図１４に示す。また、その構成図を図１５に示す。図１４及び図１５において、図１及び図２の物品管理システム１の構成要素と同様の構成要素は同じ番号で示してある。
【０１４４】
この物品管理システム２０１は、基本的な構造は第１実施形態と同様であるが、図１４に示すように、報知装置２５０ａが読み出し装置２３０ａに備えられている点で構成が異なる。すなわち、図１５に示すように、検索装置１４０の検索部１４１で検索された結果が、検索部１４１から記憶部３１ａを経由して報知装置２５０ａに渡される。報知装置２５０ａは、検索部１４１で検索された結果に基づき、図１５に示すようにブザーによる報知を行う。したがって、報知装置２５０ａが読み出し装置２３０ａの近くに設けられているので、報知対象の物品６０ａの図３に示す識別データ７１ａと賞味期限７３ａ又は入庫時刻７４ａとを容易に特定することができる。
【０１４５】
この物品管理システム２０１は、図１４に示す保管庫１０における物品群６０（６０ａ，６０ｂ，６０ｃ，・・・）の入出庫を管理する処理の流れが第１実施形態と異なる。すなわち、図１４に示す保管庫１０に物品６０ａ等が保管されている状態で検索が行われる点で第１実施形態と異なる。
【０１４６】
処理の詳細は、第２実施形態と同様である点で、第１実施形態と異なる。また、図１４に示すように、報知すべき物品が６０ａである場合、読み出し装置２３０ａが物品６０ｃの前に持って行かれたときは、報知装置２５０ａがブザーによる報知を行わず、読み出し装置２３０ａが物品６０ａの前に持って行かれたときは、報知装置２５０ａがブザーによる報知を行う。この点で、第１実施形態及び第２実施形態と異なる。
【０１４７】
図１４，図１５に示す記憶部材２０ａ等に、図３に示す識別データ７１ａ等だけでなく賞味期限７３ａ等や入庫時刻７４ａ等が記憶されている点も、第１実施形態と同様である。したがって、このような図１４に示す物品管理システム１０１によっても、図３に示す賞味期限７３ａ等又は入庫時刻７４ａ等に関する検索が容易に行われるため、図１４に示す保管庫１０における入出庫の管理コストが低減される。
【０１４８】
＜第３実施形態の変形例＞
（Ａ）報知装置２５０ａと読み出し装置２３０ａとは、複数存在していてもよい。すなわち、物品管理システム２０１は、報知装置２５０ａの代わりに、報知装置群２５０（２５０ａ，２５０ｂ，２５０ｃ，・・・）を備えていてもよい。物品管理システム２０１は、読み出し装置２３０ａの代わりに、読み出し装置群２３０（２３０ａ，２３０ｂ，２３０ｃ，・・・）を備えていてもよい。
［第４実施形態］
本発明の第４実施形態に係る物品管理システム３０１の概念図を図１６に示す。また、その構成図を図１７に示す。図１６及び図１７において、図１及び図２の物品管理システム１の構成要素と同様の構成要素は同じ番号で示してある。
【０１４９】
この物品管理システム３０１は、基本的な構造は第１実施形態と同様であるが、図１６に示すように、報知装置群３５０（３５０ａ，３５０ｂ，３５０ｃ，・・・）が保管場所群１１（１１ａ，１１ｂ，１１ｃ，・・・）のそれぞれに備えられている点で構成が異なる。すなわち、図１７に示すように、検索部３４１によりデータベース３４４が参照されて検索が行われ、検索装置３４０の検索部３４１で検索された結果が、検索部３４１から報知装置３５０ａ，３５０ｂ，３５０ｃ，・・・に渡される。報知装置３５０ａ，３５０ｂ，３５０ｃ，・・・は、検索部３４１で検索された結果に基づき、図１６に示すようにＬＥＤ表示による報知を行う。したがって、報知装置３５０ａ，３５０ｂ，３５０ｃ，・・・が保管庫１０における保管場所１１ａ，１１ｂ，１１ｃ，・・・の近くに設けられているので、物品６０ａ等に適した保管場所１１ａ，１１ｂ，１１ｃ，・・・が容易に特定される。
【０１５０】
この物品管理システム３０１は、検索装置３４０がデータベース３４４をさらに備えている点で、第１実施形態と異なる。すなわち、図１８に示すように、データベース３４４には、賞味期限までの期間３４５と保管場所３４６とが対応づけて記憶されている。
【０１５１】
この物品管理システム３０１は、図１６に示す保管庫１０における物品群６０（６０ａ，６０ｂ，６０ｃ，・・・）の入出庫を管理する処理の流れが第１実施形態と異なる。すなわち、物品群６０（６０ａ，６０ｂ，６０ｃ，・・・）が保管庫１０に入庫される処理の流れが、図１９に示すように、次の点で第１実施形態と異なる。なお、図１９において、図４と同様の処理は同じ番号で示してある。図１９に示すステップＳ７１では、保管場所検索処理が図１７に示す検索部３４１で行われる。図１９に示すステップＳ７２では、図１８に示す保管場所１１ａ，１１ｂ，１１ｃ，・・・の識別データ３４６ａ，３４６ｂ，３４６ｃ，・・・と報知命令とが、検索部３４１から報知装置３５０ａ，３５０ｂ，３５０ｃ，・・・へ渡される。図１９に示すステップＳ７３では、図１８に示す保管場所１１ａ，１１ｂ，１１ｃ，・・・の識別データ３４６ａ，３４６ｂ，３４６ｃ，・・・と報知命令とに基づき、ＬＥＤ表示による報知が行われる。
【０１５２】
図２０に示す保管場所検索処理Ｓ７１の詳細は、次の点で第１実施形態と異なる。図２０に示すステップＳ８１では、図３に示す識別データ７１ａと賞味期限７３ａとが、図１７に示す記憶部３１ａから検索部３４１に渡され、検索部３４１からメモリ４３に渡され、メモリ４３で一時的に記憶される。図１７に示す検索部３４１により時計４２が参照され、現在時刻の情報が時計４２から検索部３４１に渡される。検索部３４１で、現在時刻と、図３に示す賞味期限７３ａとから、賞味期限７３ａまでの期間が計算される。図２０に示すステップＳ８２では、図１７に示す検索部３４１によりデータベース３４４が参照される。図２０に示すステップＳ８３では、図１７に示すデータベース３４４において図１８に示す賞味期限までの期間３４５に対応する保管場所３４６の識別データ３４６ａ，３４６ｂ，３４６ｃ，・・・が特定される。これにより、賞味期限までの期間３４５に対して適した保管場所３４６の識別データ３４６ａ，３４６ｂ，３４６ｃ，・・・が特定される。
【０１５３】
図１６，図１７に示す記憶部材２０ａ等に、図３に示す識別データ７１ａ等だけでなく賞味期限７３ａ等や入庫時刻７４ａ等が記憶されている点も、第１実施形態と同様である。したがって、このような図１６に示す物品管理システム３０１によっても、図３に示す賞味期限７３ａ等又は入庫時刻７４ａ等に関する検索が容易に行われるため、図１６に示す保管庫１０における入出庫の管理コストが低減される。
【０１５４】
＜第４実施形態の変形例＞
（Ａ）図１７に示すデータベース３４４は、図１８に示す内容が記憶されていなくてもよい。すなわち、図２１に示す内容が記憶されているデータベース３４４ａであってもよい。この場合でも、図１６に示す報知装置３５０ａ，３５０ｂ，３５０ｃ，・・・が保管庫１０における保管場所１１ａ，１１ｂ，１１ｃ，・・・の近くに設けられているので、物品６０ａ等の種類に適した保管場所１１ａ，１１ｂ，１１ｃ，・・・が容易に特定される。
【産業上の利用可能性】
【０１５５】
本発明にかかる物品管理システム、記憶部材、読み出し装置及び保管庫は、入出庫の管理コストを低減することができるという効果を有し、物品管理システム、記憶部材、読み出し装置及び保管庫等として有用である。
【図面の簡単な説明】
【０１５６】
【図１】本発明の第１実施形態による物品管理システムの概念図。
【図２】本発明の第１実施形態による物品管理システムの構成図。
【図３】本発明の第１実施形態による記憶部材の概念図。
【図４】物品群が保管庫に入庫される処理の流れを示すフローチャート。
【図５】物品群が保管庫から出庫される処理の流れを示すフローチャート。
【図６】物品群が保管庫から出庫される処理の流れを示すフローチャート。
【図７】本発明の第２実施形態による物品管理システムの概念図。
【図８】本発明の第２実施形態による物品管理システムの構成図。
【図９】検索処理を示すフローチャート。
【図１０】物品検索処理を示すフローチャート。
【図１１】物品検索処理を示すフローチャート。
【図１２】物品検索処理を示すフローチャート。
【図１３】物品検索処理を示すフローチャート。
【図１４】本発明の第３実施形態による物品管理システムの概念図。
【図１５】本発明の第３実施形態による物品管理システムの構成図。
【図１６】本発明の第４実施形態による物品管理システムの概念図。
【図１７】本発明の第４実施形態による物品管理システムの構成図。
【図１８】本発明の第４実施形態によるデータベースの概念図。
【図１９】物品群が保管庫に入庫される処理の流れを示すフローチャート。
【図２０】保管場所検索処理を示すフローチャート。
【図２１】本発明の第４実施形態によるデータベースの概念図。
【符号の説明】
【０１５７】
１，１０１，２０１，３０１  物品管理システム
１０  保管庫
２０，１２０  記憶部材群
３０，１３０，２３０  読み出し装置群
４０，１４０，３４０  検索装置
５０，１５０，２５０，３５０  報知装置
６０  物品群
１４  空気調和機
【図１】
2005060085.tif 000003
【図２】
2005060085.tif 000004
【図３】
2005060085.tif 000005
【図４】
2005060085.tif 000006
【図５】
2005060085.tif 000007
【図６】
2005060085.tif 000008
【図７】
2005060085.tif 000009
【図８】
2005060085.tif 000010
【図９】
2005060085.tif 000011
【図１０】
2005060085.tif 000012
【図１１】
2005060085.tif 000013
【図１２】
2005060085.tif 000014
【図１３】
2005060085.tif 000015
【図１４】
2005060085.tif 000016
【図１５】
2005060085.tif 000017
【図１６】
2005060085.tif 000018
【図１７】
2005060085.tif 000019
【図１８】
2005060085.tif 000020
【図１９】
2005060085.tif 000021
【図２０】
2005060085.tif 000022
【図２１】
2005060085.tif 000023